(57)【要約】      （修正有）【課題】衛星ポジショニングシステムにおいて高度情報を使用するための方法とシステムを提供する。【解決手段】セルベースの通信受信機を有する移動衛星位置決めシステム（ＳＰＳ）受信機の位置を決定する方法に関する。この方法は、少なくともセル物体位置あるいはセル物体識別情報の少なくとも１つを含むセル物体情報を決定するステップと、セルベースの通信受信機を有するワイヤレス通信におけるセルサイト送信機に基づいて選択される前記セル物体情報から高度を決定するステップと、前記高度を用いて前記移動ＳＰＳ受信機の位置を計算するステップとを有する。【選択図】図１
2010145411.tif 000002
【特許請求の範囲】
【請求項１】
セルベースの通信受信機を有する移動衛星位置決めシステム（ＳＰＳ）受信機の位置を決定する方法であって、
セルオブジェクト情報を決定する、前記セルオブジェクト情報は、セルオブジェクト位置あるいはセルオブジェクト識別の少なくとも一つを含む、
前記セルオブジェクト情報から高度を決定する、ここにおいて、前記セルオブジェクト情報は前記セルベースの通信受信機との無線通信におけるセルサイト送信機に基づいて選択される、
前記高度を用いて前記移動ＳＰＳ受信機の位置を計算する
を有する前記方法。
【請求項２】
前記セルオブジェクト情報は、前記セルサイト送信機の位置あるいは識別の少なくも一つを示す情報である、請求項１に記載の方法。
【請求項３】
前記高度は、実質的に前記セルサイト送信機の高度である、請求項２に記載の方法。
【請求項４】
前記高度は、前記セルサイト送信機の地理的近傍における高度の数学的な表示である、請求項２に記載の方法。
【請求項５】
前記セルオブジェクト情報及び前記高度はコンピュータ読み取り可能な記憶媒体に格納される、請求項２に記載の方法。
【請求項６】
さらに、前記移動ＳＰＳ受信機から遠隔処理局への少なくとも一つの擬似距離を送信することを有する、請求項５に記載の方法。
【請求項７】
前記送信することは、前記セルサイト送信機における受信機を介して行われ、前記遠隔処理局は、前記セルサイト送信機に連結されたセルラー交換センターに連結され、前記遠隔処理システムは前記高度を決定し、前記高度を用いて前記位置を計算する、請求項６に記載の方法。
【請求項８】
さらに、 前記高度を前記移動ＳＰＳ受信機に送信することを有し、前記移動ＳＰＳ受信機は前記高度を用いて前記位置を計算する、請求項２に記載の方法。
【請求項９】
さらに、前記セルオブジェクト情報を前記移動ＳＰＳ受信機に送信することを有し、前記移動ＳＰＳ受信機は前記高度を決定する、請求項２に記載の方法。
【請求項１０】
さらに、前記遠隔処理局で、衛星暦データを受信することを備える、請求項７に記載の方法。
【請求項１１】
データ処理システムにより実行される場合に、前記データ処理システムに下記を備える方法を実行させる実行可能なコンピュータプログラム命令を有するコンピュータ読み取り可能な媒体：
セルオブジェクト情報を決定する、前記セルオブジェクト情報は、セルオブジェクト位置あるいはセルオブジェクト識別の少なくとも一つを含む、
前記セルオブジェクト情報から高度を決定する、ここにおいて、前記セルオブジェクト情報は、移動衛星位置決めシステム（ＳＰＳ）受信機のセルベースの通信受信機と無線通信中のセルサイト送信機に基づいて選択される、
前記高度を用いて前記移動ＳＰＳ受信機の位置を計算する。
【請求項１２】
前記セルオブジェクト情報は、前記セルサイト送信機の位置あるいは識別の少なくとも一つを示す情報である、請求項１１に記載のコンピュータ読み取り可能な媒体。
【請求項１３】
前記高度は、実質的に前記セルサイト送信機の高度である、請求項１２に記載のコンピュータ読み取り可能な媒体。
【請求項１４】
前記高度は、前記セルサイト送信機の地理的近傍における高度の数学的な表示である、請求項１２に記載のコンピュータ読み取り可能な媒体。
【請求項１５】
前記セルオブジェクト情報及び前記高度はコンピュータ読み取り可能な記憶媒体に格納される、請求項１２に記載のコンピュータ読み取り可能な媒体。
【請求項１６】
前記方法はさらに、前記移動ＳＰＳ受信機から遠隔処理局に少なくとも一つの擬似距離を送信することを有する請求項１５に記載のコンピュータ読み取り可能な媒体。
【請求項１７】
前記送信することは、前記セルサイト送信機における受信機を介して行われ、前記遠隔処理局は、前記セルサイト送信機に連結された交換センターに連結され、前記遠隔処理システムは前記高度を決定し、前記高度を用いて前記位置を計算する、請求項１６に記載のコンピュータ読み取り可能な媒体。
【請求項１８】
前記方法はさらに、前記高度を前記移動ＳＰＳ受信機に送信することを有し、ここにおいて前記移動ＳＰＳ受信機は前記高度を使用して前記位置を計算する、請求項１２に記載のコンピュータ読み取り可能な媒体。
【請求項１９】
前記方法はさらに、前記セルオブジェクト情報を前記移動ＳＰＳ受信機に送信し、前記移動ＳＰＳ受信機は前記高度を決定することを備える、請求項１２に記載のコンピュータ読み取り可能な媒体。
【請求項２０】
前記方法はさらに、前記遠隔処理局で、衛星暦データを受信することを備える、請求項１７に記載のコンピュータ読み取り可能な媒体。
【請求項２１】
下記を具備するデータ処理局：
プロセッサ、 
前記プロセッサに連結された記憶装置、
前記プロセッサに連結されたトランシーバ、ここにおいて、
このトランシーバは、前記データ処理局を無線セルサイトに連結し、
前記記憶装置は前記無線セルサイトに関するセルオブジェクト位置あるいはセルオブジェクト識別の内の少なくとも一つを備えるセルオブジェクト情報を格納し、
前記プロセッサは、移動衛星位置決めシステム（ＳＰＳ）受信機のセルベースの通信受信機と無線通信中の前記無線セルサイトに基づいて選択される前記セルオブジェクト情報から高度を決定し、
前記プロセッサは、前記高度を用いて前記移動ＳＰＳ受信機の位置を計算する。
【請求項２２】
前記プロセッサはＳＰＳ信号の源を受信し、前記トランシーバは前記無線セルサイトから少なくとも一つの擬似距離を受信し、前記プロセッサは前記ＳＰＳ信号及び前記少なくとも一つの擬似距離を用いて前記高度を決定する、請求項２１に記載のデータ処理局。
【請求項２３】
前記記憶装置は、前記トランシーバに連結される複数の無線セルサイト毎に対応する高度とセルオブジェクト情報とを有するデータベースを内蔵する請求項２２に記載のデータ処理局。
【請求項２４】
移動衛星位置決めシステム（ＳＰＳ）受信機の位置を決定する方法、前記方法は下記を具備する、
複数のＳＰＳ衛星への複数の擬似距離から計算された高度を決定する、
前記計算された高度を前記移動ＳＰＳ受信機の高度の推定と比較する、
前記擬似距離の少なくとも一つの状況を決定する、前記状況は前記計算された高度と前記推定との比較に基づく。
【請求項２５】
前記位置は、位置決め解法アルゴリズムから決定され、ここにおいて、前記状況が第１の状態の場合、前記擬似距離は前記位置決め解法アルゴリズム中で用いられる、請求項２４に記載の方法。
【請求項２６】
前記状況が第２の状態の場合、前記擬似距離は前記位置決め解法アルゴリズム中で用いられない、請求項２５に記載の方法。
【請求項２７】
さらに、
前記移動ＳＰＳ受信機で、前記複数の擬似距離を決定する、
セルオブジェクト情報を決定する、前記セルオブジェクト情報は、セルオブジェクト位置あるいはセルオブジェクト識別のうちの少なくとも一つを備える、
前記セルオブジェクト情報から前記高度の推定を決定する、ここにおいて、
前記セルオブジェクト情報は、前記移動ＳＰＳ受信機に連結されたセルベースの通信システムと無線通信中のセルサイト送信機に基づいて選択される、を有する請求項２６に記載の方法。
【請求項２８】
前記移動ＳＰＳ受信機は、前記状況及び前記位置を決定するデータ処理局に前記複数の擬似距離を送信する、請求項２７に記載の方法。
【請求項２９】
前記セルオブジェクト情報は、前記セルサイト送信機の位置あるいは識別の少なくとも一つを示す情報である、請求項２７に記載の方法。
【請求項３０】
前記高度は、前記セルサイト送信機の地理的近傍における少なくとも一つの高度の数学的な表示である、請求項２９に記載の方法。
【請求項３１】
前記セルオブジェクト情報及び前記高度は、コンピュータ読み取り可能な記憶媒体に格納される、請求項２７に記載の方法。
【請求項３２】
前記データ処理局は衛星暦データを受信する、請求項２８に記載の方法。
【請求項３３】
下記を具備するデータ処理局、
プロセッサ、
前記プロセッサに連結された記憶装置、
前記プロセッサに連結されたトランシーバ、ここにおいて、
このトランシーバは、前記データ処理局を無線通信システムに連結し、
前記記憶装置は前記無線通信システムの無線レディオカバレッジ内の少なくとも一つの領域に関する高度の推定を格納し、
前記トランシーバは、移動衛星位置決めシステム（ＳＰＳ）受信機に連結された移動無線通信システムからの、第１の擬似距離を含む複数の擬似距離を受信し、
前記プロセッサは高度を決定し、前記推定と前記高度を比較し、及び
前記第1の擬似距離の状況を決定する、前記状況は、前記推定と前記高度擬似測定値との比較に基づいている、
データ処理局。
【請求項３４】
前記プロセッサはＳＰＳ信号の源を受信し、
前記プロセッサは位置決め解法アルゴリズムから前記移動ＳＰＳ受信機の位置を決定し、
前記状況が第１の状態の場合、前記第１の擬似距離は前記位置決め解法アルゴリズムで用いられる、
請求項３３に記載のデータ処理システム。
【請求項３５】
前記状況が第２の状態の場合、前記第１の擬似距離は前記位置決め解法アルゴリズムで用いられない、請求項３４に記載のデータシステム。
【請求項３６】
移動衛星位置決めシステム（ＳＰＳ）受信機の位置を決定する方法、この方法は下記を具備する、
前記移動ＳＰＳ受信機と、対応する複数の衛星との間の複数の衛星擬似距離を決定するステップ、
少なくとも一つの非衛星擬似測定値を決定する、
前記複数の衛星擬似距離の少なくとも一つの状況を決定する。
【請求項３７】
前記非衛星擬似測定値は高度擬似測定値あるいはセルラ擬似距離の一つである、請求項３６に記載の方法。
【請求項３８】
前記状況は冗長測定値である非衛星擬似測定値から決定される請求項３７に記載の方法。
【請求項３９】
前記状況は、ＳＰＳ誤り検出及び分離技術を用いて決定される、請求項３８に記載の方法。
【請求項４０】
前記対応する複数の衛星は、地球の周りの空間を軌道とする複数の衛星である、請求項３９に記載の方法。
【請求項４１】
前記位置は位置決め解法アルゴリズムから決定され、
前記状況が第１の状態の場合、前記複数の衛星擬似距離の少なくとも一つは前記位置決め解法アルゴリズムで用いられる、請求項３９に記載の方法。
【請求項４２】
前記状況が第２の状態の場合、前記複数の衛星擬似距離の少なくとも一つは、前記位置決め解法アルゴリズムで用いられない、請求項４１に記載の方法。
【発明の詳細な説明】
【技術分野】
【０００１】
本発明は、衛星位置決めシステムの受信機の高度に関する情報からのオグメンテーション(augmentation)或いは支援(aiding)を使用する衛星位置決めシステムに関する。
【背景技術】
【０００２】
U.S.グローバル位置決めシステムのような従前の衛星位置決めシステム（ＳＰＳ）は、衛星からの信号を使用してそれらの位置を決定する。従前のＳＰＳ受信機は地球を軌道する複数のＧＰＳ衛星から同時に送信される信号の相対的な到着時刻によりそれらの位置を通常決定する。それらの衛星は、それらのメッセージの一部として、ある時刻での衛星の位置を特定するクロックタイミング(timing)のデータと同様に両衛星位置決めデータを送信する、このデータは衛星暦(ephemeris)データとしてしばしば参照される。従前のＳＰＳ受信機は、典型的にＳＰＳ信号を求めてサーチし、獲得し、多数の衛星に関する暦データを読み、それらの衛星への擬似距離(pseudoranges)を決定し、そして衛星からの暦データと擬似距離から該ＳＰＳ受信機の位置を計算する。
【０００３】
従前のＳＰＳシステムは、高度支援を時々使用して二つの状態−三次元位置に関する測定値の欠落或いは悪い衛星幾何学のケース−において援助する。多くのケースに関して、悪い衛星幾何学は垂直方向での貧弱な観察(observabil--ity)により引き起こされる。例えば、もしも該解法(solution)に使用される全ての衛星への該ユニット(unit)ベクトルが軌道の半分の角度(arbitary half-angle)の円錐形上にあるならば、それから該ユニットベクトルが二次元空間を測るのみであれば、該ユニットベクトルの先端のトップ上に平面を配置することが可能である。該平面に垂直である、第3の方向或いはディメンションにおけるエラーは、観察できない。これは特異(singularity)条件として参照される。ＧＰＳ受信機アンテナを取り巻く高いビルディングによる都市の峡谷環境において、見ることができる衛星は、高い高台の角度にあるもののみである。
【０００４】
それらの信号状況は、ここに記述される特異な状況に類似する。また、大きな多重パスエラーは、垂直方向の大きなエラーを引き起こす傾向にある。
【０００５】
従前の高度支援は、地球のセンターにそのセンターを持つ球の表面として可視可能な高度の擬似測定値に基いている。この球は、楕円面により典型的に定められた地球の表面に対する高度及び地球の半径を含む半径を有している。
【０００６】
高度支援を実施するのに利用可能な多数の技術があるが、全ての技術は、高度擬似測定値の大きさである球の表面を定めるのに要求される高度の事前知識に頼っている。(WGS84は、楕円体モデルの１つ)。典型的に、推定された高度は、GPS受信機の操作者によりマニュアルで供されることができ、或いは、地球の表面のような、ある事前設定された値に或いは従前の三次元解法(three-dimensional solution)からの高度に設定されることができる。
【０００７】
従前のGPS技術は、移動体GPS受信機がGPS信号を受信するが、その位置を計算せず、及びそれに関して位置計算を実施するために基地局に頼るケースにおいて、使用される高度支援をも有する。米国特許5,225,842は、三つのGPS衛星のみの使用を許容するために高度支援を使用するそのようなシステムを開示する。推定された高度は、地勢学或いは測地学データベースのようなマッピング(mapping)情報から典型的に引き出される。この配置において、基地局の高度情報は、また利用可能であろう。
【０００８】
このアプローチの弱点は、リーズナブルな高度推定を持つ高度支援が適用され得る前に、当初の二次元解法が典型的になされることである。該高度は、それから緯度及び経度座標の関数として垂直データベースから抽出されることができる。
【０００９】
前述の複数のアプローチは高度情報の使用から一定の利点を供するが、それらは、移動体GPS受信機が比較的大きな地理上のエリアにわたるいずれかの位置に配置され得る分散処理システムのケースにおいてうまく働かない。さらに、それらの従前のアプローチは、特別の擬似距離が誤りであっても、全ての利用可能な擬似距離を持つ高度情報を使用する。
【発明の概要】
【００１０】
本発明は、高度情報を使用して、移動衛星位置決めシステム（ＳＰＳ）受信機の位置を決定するための種々の方法と装置とを提供する。本発明の方法の一例において、セルオブジェクト情報が決定される。このセルオブジェクト情報は、セルオブジェクト位置とセルオブジェクト識別(identification)との少なくとも１つを有する。一例において、セルオブジェクトはセルサイト(site)で良く、識別は、セルサイトの識別子(identifier)で良く、また、該位置は、セルサイトの緯度並びに経度で良い。高度は、移動ＳＰＳ受信機に連結された（及び典型的には、一体となっている）セルベースの通信システムと、無線通信中のセルサイト送信機に基いて選ばれたセルオブジェクト情報から決定される。即ち、高度は、移動ＳＰＳ受信機の通信システムと通信中のセルサイト送信機と関連付けられるセルオブジェクト情報により決定される。この移動ＳＰＳ受信機の位置は、セルオブジェクト情報から決定される高度を使用して計算される。
【００１１】
本発明に係わる他の例の方法において、高度擬似測定値が決定され、この高度擬似測定値は、移動局ＳＰＳ受信機の高度の推定値を使用する。この高度の推定値は、セルベースの通信システム中のセルベース情報源から導かれるか、平均高度、もしくは、非セルベースのシステム中の無線基地局のカバレージ範囲の高度或いは高度に関する他の数学上の表示でも良い。一例では、該高度の推定と、擬似距離からＳＰＳ移動局への（もしくは擬似距離並びに高度擬似測定値）計算された高度との比較が、ＳＰＳ衛星と移動局ＳＰＳ受信機との間の少なくとも１つの擬似距離の状態を決定する。他の例においては、高度擬似測定値は、（冗長測定値を使用してＳＰＳ衛星への擬似距離を使用した）冗長測定値として使用され得る。及び誤った検出と分離技術とが、冗長測定を使用して、擬似範囲とナビゲーション解法との少なくとも一方の（例えば、誤りもしくは誤っていない状態）を決定するために利用され得る。この例の一具体例において、該位置は、位置解法アルゴニズムから決定され、そして、擬似距離の状態が、非誤り状態のような第１の状態の場合には、少なくとも１つの擬似距離は、位置解法アルゴニズムで使用される。ナビゲーション解法の再計算が、（誤った疑似距離が識別されて、ナビゲーション解法の再計算から除去された後に）、非誤り擬似距離のみを使用してなされ得る。
【００１２】
種々の移動ＳＰＳ受信機と基地局とが、また、ここで説明される。本発明の種々の他の態様と実施の形態とがさらに以下に説明される。
【図面の簡単な説明】
【００１３】
【図１】それぞれのセルがセルサイトによりサービスされる複数のセルを有するセルベースの通信システムを描いた図であり、その各々はしばしば移動交換センターとも呼ばれるセルベース交換センターに連結されている。
【図２】本発明の一つの実施態様にしたがってロケーション(location)サーバシステムの実施を描いた図である。
【図３Ａ】本発明の一つの実施態様にしたがってＳＰＳ受信機と通信システムとの組み合わせの例を描いた図。
【図３Ｂ】本発明の一つの実施態様にしたがってＳＰＳ基準(reference)局の実施例を描いた図。
【図４】移動ＳＰＳ受信機の推定高度を決定するのに使用できるセルベースの情報源の実施例を描いた図である。
【図５】本発明にしたがって高度支援を使用いる一つの方法のフローチャートを描いた図である。
【図５Ａ】本発明による高度支援を使用するための方法を表わした二つの他のフローチャートである。
【図５Ｂ】本発明による高度支援を使用するための方法を表わした二つの他のフローチャートである。
【図６】本発明にしたがって高度支援を使用するための他の方法を示したフローチャートである。
【発明を実施するための形態】
【００１４】
本発明は実施例により説明されており、参考資料のような形で同様の要素を示しているこれらの図に限定されるものではない。  
本発明は、衛星による測位システムを用いた高度支援を使用するためのさまざまな方法および装置を提供するものである。以下に述べる説明および図は本発明を説明するものであり、本発明を限定するように解釈されるものでない。本発明を一貫して理解できるように多くの特定化した詳細な説明を記述してあるが、しかしながら公知のあるいは従来技術の詳細は、本発明の細部を不必要にぼやけさせないために記述しない。
【００１５】
高度支援情報の使用に関する種々の詳細説明を行なう前に、一つの本発明の態様が使用される前後関係を説明することが有効である。したがって、セルベースの通信システムにおける高度支援の使用を検討する前に、図１、図２、図３Ａおよび図３Ｂに言及して予備的な検討を行なう。
【００１６】
図１はセルベースの通信システム１０の実施例を示しており、複数のセルサイトを含んでいて、それぞれが特定の地理的領域やロケーションにサービス提供するよう設計されている。セルラーベースまたはセルベースの通信システムのような実施例は、当該技術ではセルベースの電話システムとして公知である。このセルベースの通信システム１０は二つのセル１２と１４を有し、両方ともに一つのセルラーサービスエリア１１の中にある。付け加えると、このシステム１０はセル１８と２０を含んでいる。対応するセルサイトおよび／またはセルラーサービスエリアを持つ複数の他のセルもまたこのシステム１０に含まれ、システム１０はセルラー交換センター２４およびセルラー交換センター２４ｂのような一つまたは複数のセルラー交換センターに連結されていることは理解されるであろう。
【００１７】
セル１２のようなそれぞれのセル内には、無線通信メディアを通して、図１の受信機１６のような移動ＧＰＳ受信機と組み合わせ可能な通信受信機と通信できるようアンテナ１３ａを有しているセルサイト１３のような無線のセルまたはセルラーサイトがある。受信機。ＧＰＳ受信機と通信システムを有する組み合わされたシステムのような実施例は、図３Ａに示されており、ＧＰＳアンテナ７７と通信システムアンテナ７９の両方を有することができる。
【００１８】
各セルサイトはセルラー交換センターに連結されている。図１では、セルサイト１３、１５、および１９は接続１３ｂ、１５ｂ、１９ｂをそれぞれ経由して交換センター２４にそれぞれ連結されており、セルサイト２１は接続２１ｂを経由して異なる交換センター２４ｂに連結されている。これらの接続は、典型的にそれぞれのセルサイトとセルラー交換センター２４、２４ｂとの間のワイヤー接続(wire line connection)である。各セルサイトは該セルサイトによりサービスされる通信システムと通信するためのアンテナを有している。一つの実施例では、このセルサイトはセルサイトによりサービスされるエリア内で移動セルラー電話と通信を行なうセルラー電話セルサイトであり得る。セル４に示した受信機２２のような1つのセル内の通信システムは、シグナルブロッケージ(blockage)（またはセルサイト２１が受信機２２と通信できない他の理由）によりセル１８にあるセルサイト１９と受信機現実に通信できる。また、多数のセルサイトが通信システムを有する移動ＧＰＳ受信機とデータ通信（通常は音声でない）を行なえることも事実である。
【００１９】
本発明の典型的な実施態様では、移動ＧＰＳ受信機１６はセルベースの通信システムを含み、該セルベースの通信システムは同じハウジング内に両ＧＰＳ受信機と通信システムが収納されているようなＧＰＳ受信機と集積されている。この実施例の一つは、ＧＰＳ受信機がセルラー電話トランシーバと共通の回路を分かち合う集積化されたＧＰＳ受信機を有するセルラー電話である。この組み合わされたシステムをセルラー電話通信に使用する時、受信機１６とセルサイト１３との間で伝送が行なわれる。受信機１６からセルサイト１３への伝送は、その後、セル交換センターによりサービスされるセル内の他のセルラー電話のいずれかに伝搬され、或いは地上電話システム／ネットワーク２８を介して他の電話へ接続３０（典型例ではワイヤー）を経由して伝搬される。用語ワイヤーは光ファイバー及び銅ケーブルのような
無線ではない他の接続を含むことが理解される。受信機１６との通信している他の電話かの伝送は、接続１３ｂ及びセルサイト１３を経由してセルラー交換センター２４から伝播され、従前の態様で受信機１６に戻される。
【００２０】
遠隔データ処理システム２６（これはいくつかの実施態様においてＳＰＳサーバまたはロケーションサーバと呼ばれる）はシステム１０に含まれ、一つの実施態様では、ＳＰＳ受信機により受信されたＳＰＳ信号を使用して移動ＳＰＳ受信機（例えば、受信機１６）の位置を決定するのに利用される。ＳＰＳサーバ２６は地上ベースの電話システム／ネットワーク２８に接続２７を経由して連結され、またオプションとして接続２５（通信ネットワークであり得る）を経由してセルラー交換センターに連結されることもあり、接続２５ｂ（接続２５と同じまたは異なる通信ネットワークであり得る）を経由してセンター２４ｂにオプションとして連結されることもある。接続２５および２７は典型例ではワイヤー接続であるが無線でも可能であることは理解できよう。システム１０のオプションの要素としてクエリー(query)端末２９も示した。これはネットワーク２８を介してＳＰＳサーバ２６に連結された他のコンピュータシステムから成る。このクエリー端末２９は1つのセル内の特定のＳＰＳ受信機の位置について、ＳＰＳサーバ２６にリクエスト(request)を送信する。それから、ＧＰＳ受信機の位置を決定し及びクエリー端末２９にその位置を報告するために、セルラー交換センターを経由して特定のＳＰＳ受信機との相互通信が開始される。また別の実施態様では、ＧＰＳ受信機の位置判定は、移動ＧＰＳ受信機の使用により開始される。例えば、移動ＧＰＳ受信機のユーザーがセル電話上で９１１を押し、移動ＧＰＳ受信機のロケーションで非常事態を示すと、ここに説明した態様でロケーション処理が開始される。また別の本発明の実施態様では、各セルサイトは、セルサイトを経由して移動ＧＰＳ受信機へ及びからデータ通信を行なうＧＰＳロケーションサーバを有する。本発明は、セルベースシステムを使用しないポイント／ポイント間アーキテクチャのような異なる通信アーキテクチャでも採用可能である。
【００２１】
セルラーベースまたはセルベースの通信システムが１台以上の送信機を有しており、各々が異なる地理的領域にサービス提供する、いずれの時にも設定されている通信システムであることに留意する必要がある。代表的には、各送信機は地理的に２０マイルより小さい半径を有するセルにサービスを提供する無線送信機であり、カバーするエリアは特定のセルラーシステムに依存する。セルラー通信システムには、セルラー電話、ＰＣＳ（パーソナル通信システム）、ＳＭＲ（特殊移動無線）、１方向および双方向ページャーシステム、ＲＡＭ、ＡＲＤＩＳ、および無線パケットデータシステムのような、多くのタイプがある。代表例では、設定された地理的エリアをセルと呼び、複数のセルがグループ化されて図１に示すセルラーサービスエリア１１のようなセルラーサービスエリアを構成し、それらの複数のセルは一つまたは複数のセルラー交換センターに連結されている。この交換センターは地上ベースの電話システム／ネットワークへの接続を提供する。サービスエリアはしばしば課金目的で使用される。それ故に、複数のサービスエリアのセルが一つの交換センターに接続されるケースもある。例えば、図１において、セル１と２はサービスエリア１１にあり、セル３はサービスエリア１３にある。しかし３つのセルは全部交換センター２４に接続されている。逆に、人口密度の高いエリアでは、ときには一つのサービスエリアにあるセルが異なる交換センターに接続されることもある。一般的には、サービスエリアは互いに地理的に近接したセルを集めて設定される。上記説明に適応した別のクラスのセルラーシステムは衛星をベースとするものであり、セルラー基地局またはセルサイトは地球軌道上の衛星である。これらのシステムでは、セルセクターおよびサービスエリアは時間の関数として移動する。このようなシステムの例がイリジウム、グローバルスター、オーブコムおよびオデッセイである。
【００２２】
図2は、図1のSPSサーバ26として使用することのできるSPSサーバ50の例を示す。図2のSPSサーバ50は、データ処理ユニット51を含み、これは耐故障性デジタルコンピュータシステムでもよい。SPSサーバ50にはまた、モデムまたはその他の通信インタフェース52及びモデムまたは通信インターフェース53及びモデムまたは他の通信インターフェイス54が含まれる。これらの通信インタフェースは、ネットワーク60,62,64として図示される3つの異なるネットワークの間で、図2に示すロケーションサーバへ及びから情報の交換を行うための接続性を提供する。ネットワーク60は、1ヵ所または複数のセルラー交換センターあるいは地上ベースの電話システム交換またはセルサイトを含む。このように、ネットワーク60はセル18,20と同様にサービスエリア11および地上ベースの電話システム/ネットワーク28およびセルラー交換センター24,24bを含むと考えられる。ネットワーク64は、図1のクエリー端末29または911緊急電話発呼に応対するコントロールセンターに代表される「公共安全応答ポイント」PSAPを含むと考えられる。クエリー端末29の場合、この端末はセルベースの通信システムのさまざまなセルの中にある指定された移動SPS受信機からの位置情報を得るために、サーバ26を検索するのに使用され得る。この例では、移動GPS受信機のユーザ以外の人物がロケーション操作を開始する。セルラーフォンを含む移動GPS受信機から911電話がかけられた場合、ロケーションプロセスはセルラーフォンのユーザが開始する。図1のGPS基準(reference)ネットワーク32を示すネットワーク62は、異なるGPS修正情報を提供し、また衛星歴表データ(典型的に、生の完全な衛星ナビゲーションメッセージの一部)を含むGPS信号データをデータ処理ユニットに供給するよう指定されたGPS基準受信機であるGPS受信機のネットワークである。サーバ50が極めて大規模な地理的領域をカバーする場合、オプションによるGPS受信機56のようなローカルのオプションによるGPS受信機では、この領域全体に渡る移動SPS受信機を見渡すすべてのGPS衛星を観察することはできない。したがって、ネットワーク62は衛星歴表データ(典型的に、生の完全な衛星ナビゲーションメッセージの
一部)と、本発明による広域に渡り適用可能な異なるGPS修正データを収集し、提供する。
【００２３】
図2に示すように、大量記憶装置55がデータ処理ユニット51に連結されている。典型的に、大量記憶装置55は、図1の受信機16のような移動SPS受信機から擬似距離(pseudorange)を受信した後、GPSポジション計算を実行するためのソフトウェアとデータ用メモリを含むことになる。これらの擬似距離は通常、セルサイトおよびセルラー交換センターおよびモデム或いはその他のインタフェース53を通じて受信される。大量記憶装置55はまた、少なくとも1つの実施例において、モデムその他のインタフェース54を通じて、GSP基準ネットワーク32から提供される衛星歴表(ephemeris)データを受信し、使用するためのソフトウェアを含む。大量記憶装置55はまた典型的にセルサイトの地理的ロケーションに関連する（複数の）高度及びしたがって特定のセルサイトと無線通信中の移動ＳＰＳ受信機に関する複数の推定高度である対応した複数の高度、セルサイトの地理的ロケーションおよび複数のセルサイト識別子のような、セルオブジェクト情報を記憶するデータベースを典型的に有する。このセルオブジェクト情報と対応高度は、セルベースの情報源であり、この例を図4に示し、以下にさらに説明する。
【００２４】
本発明の典型的な実施例において、オプションとしてのGPS受信機56は、GPS基準ネットワークにおける各種の基準受信機を見渡す衛星からの生の衛星データメッセージを提供するのと同様にGPS測定値、異なるGPS情報を提供する図1のGPS基準ネットワーク32(図2ではネットワーク62)のＧＰＳ基準ネットワーク３２として不要である。モデム或いはその他のインタェース54を通じてネットワークから取得する衛星暦表データは、移動GPS受信機に関するポジション情報を計算するために移動GPS受信機から得る擬似距離と、従来の方法で通常使用することができる。インタフェース52,53,54は、いずれも、ネットワーク64の場合では他のコンピュータシステムに、ネットワーク60の場合ではセルラーベースの通信システムに、またネットワーク62におけるコンピュータシステムのような送信デバイスに、データ処理ユニットを連結するための、モデムまたはその他の適当な通信インターフェイスであり得る。ある実施例では、ネットワーク62は広い地理的領域上に散在するGPS参照受信機の散在する集まりを含めるとよい。いくつかの実施例において、セルラーベースの通信システムを通じて移動GPS受信機と通信するセルラーサービス領域或いはセルサイトに近い受信機56から得られる差動(differential)GPS修正情報は、移動GPS受信機のだいたいのロケーションに適した差動GPS修正情報を提供する。他のケースでは、ネットワーク62からの差動修正(differential corrections)を組み合わせて、移動SPS受信機のロケーションに適した差動修正を計算することもできる。
【００２５】
図3Aは、GPS受信機と通信システムトランシーバを含む一般化された結合されたシステムを示す。ある例において、通信システムトランシーバはセルラーフォンである。システム75はGPSアンテナ77を持つGPS受信機76と、通信アンテナ79を持つ通信トランシーバ78を含む。GPS受信機76は、図3Aに示す接続80を通じて、通信トランシーバ78に連結される。１つの動作モードでは、通信システムトランシーバ78はアンテナ79を通じておおまかなドップラー情報を受信し、このおおまかなドップラー情報をリンク80上でGPS受信機76に供給し、GPS受信機76はGPSアンテナ77を通じてGPS衛星からのGPS信号を受信することにより、擬似距離を決定する。この擬似距離は次に、通信システムトランシーバ78を通じて、図1に示すGPSサーバ26のようなロケーションサーバ(location server)に送信される。典型的に、通信システムトランシーバ78は、アンテナ79を通じて信号をセルサイトに送り、セルサイトはこの情報を図1のGPSサーバ26のようなGPSサーバに戻す。システム75のさまざまな実施例は周知である。たとえば、米国特許題5,663,734号は、改良されたGPS受信機システムを利用した通信システムとGPS受信機との複合例を示している。結合されたGPS及び通信システムの別の例は、1996年5月23日に出願された特許出願08/652,833号に示されている。図3Aのシステム75は、SPS受信機を持つ多数の別の通信システムと同様に、本発明の方法によって使用し、本発明のGPS基準ネットワークを使用して動作することができる。
【００２６】
図3Bは、GPS基準局のひとつの実施例を示す。各規準局はこのように構成され、通信ネットワークや媒体と連結され得る。典型的に、図3BのGPS基準局90のような各GPS基準局は、二重周波数GPS基準受信機92を含むことができ、これはGPSアンテナ91に連結され、アンテナ91は同アンテナを見るGPS衛星からのGPS信号を受信する。また、GPS基準受信機は、対象地域をカバーするのに必要な修正の正確さに応じて、単独周波数受信機とすることもできる。GPS基準受信機はこの分野では周知である。GPS基準受信機92は、本発明のひとつの実施例に従って、受信機92からの出力として、少なくとも2種類の情報を提供する。擬似距離出力93は、プロセサとネットワークインタフェース95に供給され、これらの擬似距離出力は、GPSアンテナ91を見る衛星について、従来の方法で擬似距離差動修正を計算するのに使用される。プロセサとネットワークインタフェース95は、この分野で周知のGPS基準受信機からデータを受信するためのインタフェースを有する従前のデジタルコンピュータシステムとすることができる。プロセサ95は、典型的に、擬似距離データを処理して、GPSアンテナ91を見る各衛星について、適正な擬似距離修正を決定するよう設計されたソフトウェアを含む。擬似距離修正は次に、ネットワークインタフェースを通じて通信ネットワークまたは媒体95に送信され、このネットワークまたは媒体には別のGPS基準局もまた典型的に連結される。本発明の他の例において、基準受信機からの擬似距離データは、ネットワーク96を通じてGPSサーバ26のような中央のロケーションに送り、ここで差動訂正が計算される。また別の例において、出力93には基準受信機92が発生する差動訂正が含まれる。GPS基準受信機92はまた、衛星歴表データ出力94も提供する。このデータはプロセサとネットワークインタフェース95に供給され、これがこのデータを通信ネットワーク96上で送信する。
【００２７】
衛星歴表データ出力94は典型的に、各GPS衛星から受信した実際のGPS信号中で記号化された、生の50帯域ナビゲーションバイナリデータ全体の少なくとも一部を供給する。衛星歴表データはGPS衛星からのGPS信号中で、毎秒50ビットのデータストリームとして放送され、GPS ICD-200文書中で詳細に述べられるナビゲーションメッセージの一部である。プロセサとネットワークインタフェース95は、この衛星歴表データ出力94を受信し、リアルタイムあるいは準リアルタイムで通信ネットワーク96に送信する。本発明の一面によれば、この衛星歴表データは、通信ネットワーク中に送信され、ネットワークを通じて、さまざまなロケーションサーバで受信される。
【００２８】
本発明のある実施例において、衛星歴表データのようなナビゲーションメッセージにおけるあるセグメントだけがネットワークインタフェースおよび通信ネットワークに関する帯域幅要件を低くするために、ロケーションサーバに送られることができる。典型的に、また、このデータは連続的に供給する必要はない。たとえば、5つのフレーム全部ではなく、衛星クロックと歴表情報を含む最初の3つのフレームだけが定期的に通信ネットワーク96に送信されることができる。本発明の1実施例において、ロケーションサーバはナビゲーションメッセージ全体を受信するができ、これはひとつまたは複数のGPS基準受信機からリアルタイムまたは準リアルタイムでネットワークに送信され、衛星データメッセージに関連する時間測定方法を実行する。この時間測定方法の一例が、Norman F. Kransnerにより1997年2月3日に出願された米国特許出願08/794,649号に記載されている。ここで使用する「衛星歴表データ」という用語は、少なくともこの衛星歴表データの数学的表記であるデータ或いはGPS衛星が送信する衛星ナビゲーションメッセージ(たとえば50ボー(baud)のメッセージ)の一部だけを含む。たとえば、衛星歴表データとは、少なくともGPS衛星から送信されたGPS信号中に記号化された50ボーのデータメッセージの一部を示す。また、GPS基準受信機92は、衛星歴表データ含むバイナリデータ出力94を提供するために、基準受信機92を見る別のGPS衛星からの別のGPS信号を復号したことがまた理解される。
【００２９】
図4は、ひとつの実施例においては、図1に示すGPSサーバ26のようなデータ処理ステーションに保持され得るセルベースの情報源の例を示す。あるいは、この情報源は図1のセルサイト13のような各セルサイトに、或いは図1のセルラー交換センタ24のようなセルラー交換センターに保持されることができる。しかし、典型的には、この情報は小セルラー交換センタに連結されるロケーションサーバに保持され、日常的に更新される。この情報源は各種フォーマットでデータを保持でき、図4のフォーマットはフォーマットの一例にすぎない。典型的に、推定高度203のような推定高度はそれぞれ、セルサイトのロケーションあるいはセルサイトまたはサービスエリアの識別のような対応するロケーションを含む。
【００３０】
セルベースの情報源201内の情報は、それぞれコラム208および210に示されるセルサービスエリアまたはセルサイトのようなセルオブジェクト情報を含むデータベースに保持され、コラム212に示される情報のようなセルサイトロケーションを含むことができる。各推定高度の場合、典型的にセルロサイトロケーションまたはセルサイト識別の少なくともひとつである。各推定高度は、セルサイトからの無線信号カバレージによってカバーされる地理的領域の平均高度であり得る。セルサイト周辺の高度を数学的に別の方法で示すこともできる。特にセルサイトの位置が、移動SPS受信機が特定エリアで発見できる高度を代表するものではない場合、セルサイトの高度より、セルサイト周辺の高度を使用するほうが有益である。
【００３１】
セルベースの情報源201の利用について、本発明による方法の一例を示す図5を参照しながら説明する。以下の説明において、移動SPS受信機はSPS信号を受信し、これらの信号から擬似距離を決定するが、移動受信機では位置決め解法(solution)計算は行われない。むしろ、移動受信機はこれらの擬似距離をそれが無線通信している特定のセルサイトに送信し、このセルサイトが擬似距離を移動交換センタに送り、この交換センタは次に擬似距離を、図1のGPSサーバ26のようなロケーションサーバに送る。このGPSサーバは、本発明の例による高度支援情報を使って、位置計算を行う。この例において、セルオプジェクト情報はステップ301で決定される。これは、GPSサーバが、図3Aに示す受信機のような移動SPS受信機に連結された移動セルベース通信システムと無線通信しているセルサイトに関する位置或いはセルサイト識別子を受信することによって発生する。たとえば、セルサイトはその識別子情報を送信するか、あるいは移動SPS受信機からの擬似距離情報とともにそのロケーションをGPSサーバに送信する。ステップ303において、GPSサーバはセルオブジェクト情報からの移動SPS受信機に関する推定高度を決定する。ある例において、SPSサーバはデータベースルックアップ動作を実行し、データベースへのインデックスとしてのセルオブジェクト情報を使うことにより、推定高度を得る。このデータベースは、図2の大量メモリ55に保持できる。セルサイトのロケーションが、経度と緯度を供給することによって供給される場合、サーバはこの経度と緯度を使ってこの地点での地球表面の高度を検索する。あるいは、セルサイト識別子がセルサイト番号またはその他の識別として供給される場合、このセルオブジェクト情報は推定高度を得るために使用される。推定高度205は、たとえばセルサイト番号B1を使って推定高度205を特定する場合を示す。ステップ305において、GPSサーバは推定高度を使って移動GPS受信機の位置を決定する。高度を使って位置決め解法計算を増加する(augment)または支援するために使用できる方法は既知である。
【００３２】
図5Aと5Bは、本発明による推定高度の使用方法を示す。図5Aの方法は、セルオブジェクト情報が決定される311から始まる。この情報はそれから図5Aの313において使用され、セルオブジェクト情報に基いて、移動SPS受信機の当初推定された地理的ロケーション(これは経度、緯度、高度で特定され得る)が決定される。この方法の一例において、セルオブジェクト情報は、そのセルオブジェクト情報に関連する推定位置をデータベースの中で検索するためのインデックスとして使用される。この推定位置はそれから図5Aの315において、移動SPS受信機の位置(例、算出された経度、緯度)を計算するのに使用される。この計算された緯度と経度は次に図5Aの317で使用され、推定高度が決定される。これは、計算された経度と緯度から推定高度を得るため、第2のデータベースでデータベース検索動作を行うことにより実現できる。この場合、第2のデータベースは図4のデータベースと似ているが、図5に示す第2のデータベースのほうが、経度と緯度のより多くの可能な組み合わせについての高度を提供することにおいてより大規模である。図5Aに示す第2のデータベースはすべての可能な経度と緯度の組み合わせについての高度を含んでいるわけではないものの、補間法論理(interpolation logic)を用い、計算された経度と緯度に近い経度と緯度でのデータベースにおける複数の高度の間の補間により、高度を決定することができる。図5Aの317で得られる高度は、319において再び位置を計算するのに使用される(より有効、高度な位置計算)。
【００３３】
第2のデータベースは、計算された位置が決定されるたびに、緯度/経度/高度の組み合わせを追加することにより、使用中に改良される。つまり、本発明のシステムを何度も使用することにより(たとえば、セルフォンのユーザが911とダイヤルするたびに)、データベースへのエントリが追加され、ある経度と緯度における高度の矛盾(conflicts)が平均化され得る(あるいは、正確なGPS受信機の読取により「マニュアルでチェックされる」ためにフラッグが立てられる。これにより、時間が経つにつれ、地球表面の堅牢な(robust)三次元データベースが作られる。図5Bは、第2のデータベースにエントリを追加する方法の例を示す。ステップ325において、移動SPS受信機の位置の当初推定値を使い、移動SPS受信機の位置が計算される。計算された位置(経度、緯度、高度の組み合わせ)は次に、第2のデータベース(ステップ329においては高度データベースと呼ばれる)の更新に使用される。
【００３４】
上記の説明は特定のアーキテクチャを想定したものであるが、本発明はさまざまなアーキテクチャおよびその他数多くの例においても使用できる。たとえば、高度情報はセルサイトに保存でき、移動SPS受信機からの擬似距離情報とともに、ロケーションサーバまたはGPSサーバに送られる。これにより、各GPSサーバがデータベースを保持する必要はなくなるが、サーバが通信し、独自の高度情報を持たないセルサイトがある場合は、サーバーがそうすることは有益であり得る。別の例では、高度情報が移動SPS受信機に送信され、これがSPS衛星をトラッキングし、入手して擬似距離を決定し、SPS衛星からの衛星歴表情報を読み取り、その位置を決定するという従来の方法において自己の位置を決定する。さらに別の例では、高度を移動ユニットに送信するのではなく、セルサイト識別子またはセルサイトロケーションのようなセルオブジェクト情報を移動SPS受信機に送信し、移動SPS受信機は、与えられたセルオブジェクト情報に関する推定高度を示す自己のデータベースを保持する。このように、移動SPS受信機は自己の位置を決定することができ、また自律的に(autonomously)高度支援(aiding)も行うことができる。さらに別の例において、移動SPS受信機は単にSPS信号を収集し、それらをデジタル化してから、デジタル化されたSPS信号をGPSサーバに送信し、GPSサーバはこのデジタル情報から擬似距離を決定し、位置計算を完成する。また別の例において、衛星歴表データ(satellite ephemeris data)はSPSサーバのような源から、セルサイトを通じて移動SPS受信機に送信されることができ、この衛星歴表データは、移動SPS受信機が決定した擬似距離とともに使用され、移動SPS受信機での位置決め解法を提供する。このアーキテクチャの例が米国特許第5,365,450号に記載されている。
【００３５】
本発明の別の面を、この観点による方法を示す図6を参照しながら説明する。図6に示す方法はSPS受信機における欠陥検出及び分離に関する。この分野ではさまざまな欠陥検出及び分離(FDI)技術が既知であるが(たとえば、グローバル位置決めシステム(Global Positioning System): Theory and Applications, Volume 2, B.W. Parkinson and J.J. Spilker, Jr., editors, American Institute of Aeronautics and Astronautics, Inc. 1996第5章および第8章、冗長な測定を使用してモニタリングするナビゲーション完全性(Navigation System Integrity Monitoring Using Redundant Measurements) by Mark A. Sturza, NAVIGATION; Hournal of the Institute of Navigation, Vol. 35, No. 4, Winter 1988-89, P.483〜等参照)、これらの技術は誤った衛星擬似距離の存在を特定する方法で高度支援を使用していない。誤った衛星擬似距離が特定されると、再計算されるナビゲーション解法から排除され、最終的な位置決定が改善される。
【００３６】
図6の方法はステップ351から始まり、ここではいくつかのSPS衛星への擬似距離が決定される。ステップ353では高度擬似測定値が決定される。この高度擬似測定値は、地球の中心における衛星に対する擬似距離と考えることができ、先行技術において利用されている高度支援のための擬似測定値を決定するための従来の方法によって決定できる。したがって、たとえばこの高度擬似測定値は、地球の中心から楕円体によって定義される、地球表面に関する推定高度での地球の仮定球面上の地点までの地球の半径を含む半径として視覚化することができる。推定高度は図5(ステップ301,303)に示すように得ることができる。ステップ355において、移動SPS受信機の高度が計算され、こうして計算された高度は推定高度と比較される。計算された高度はステップ351で決定された擬似距離に基くナビゲーション解法から得ることができる。これら2つの値の違いが大きいと、衛星擬似距離に問題がある、あるいはナビゲーション解法に問題があると考えられ、これらは、都市部のビルの谷間などでしばしば発生する、垂直方向の大きなエラーの原因となる大きなマルチパスエラーの場合に存在し得る。ステップ357において、少なくともひとつの擬似距離の状態がこの比較に基いて判断される。比較の結果、推定高度と計算された高度の差が小さかった場合、擬似距離の状態は、欠陥のない状態であり得る。反面、推定高度と計算された高度の差が大きい場合(たとえば、しきい値を超える差)、擬似距離(あるいはナビゲーション解法)の少なくともひとつに欠陥があり得る。
【００３７】
ステップ357に示すように、推定高度と計算された高度の比較に頼らない方法もある。この方法は、比較の代わりに、あるいは比較に加えて行われる。この方法は、(ステップ333から)高度擬似測定値を冗長測定値(ステップ351からの擬似距離に冗長)として使用し、冗長測定値を使って誤った擬似距離(または誤ったナビゲーション解法)が存在するか検出し、それが存在する場合、少なくともひとつの誤った擬似距離を特定するというFDI技術を利用する。これらのFDI技術は文献で発表されている。たとえば、上記Sturza,冗長な測定を使用してモニタリングするナビゲーション  システム完全性( "Navigation System Integrity Monitoring Using Redundant Measuremtns"参照。誤った擬似距離を特定すると、再計算されたナビゲーション解法から除外される。(1998年4月22日出願の、「無線通信信号による衛星位置決めシステムの拡大」と題する米国特許出願09/064,673に記載された)セルラー擬似距離はそれらのFDI技術で冗長測定値として使用されることができる。セルラー擬似距離の例は、CDMAその他の（セルベースの）セルラー通信システムにおける無線周波数信号の到着時間の違いである。セルラー擬似距離は通常、典型的には既知の地点でのセルサイトと、セルベースの通信システムを含む移動SPS受信機との間の通信信号の転送時間を表わす。
【００３８】
図6の方法は、特定の衛星からのSPS信号が高い信号対雑音比(SNR)であったとしても、特定の衛星への特定の擬似距離を「不良」と識別することがある。この場合、本発明では、このような識別を拒絶し、引き続きFDI技術を使って別の誤った擬似距離を発見する。
【００３９】
図６の方法は、単一の基地局が移動ＳＰＳ受信機との１対１の無線通信を行うセルベースではないシステムで用いられ得る。この場合、推定高度は、基地局へ／からの無線信号により網羅される地理的領域の平均高度でよい。この特殊な例では、いずれのセルオブジェクト情報もネットワークを介して送信される必要はない。他の代替的な例では、図６の方法は、セルオブジェクト情報がネットワーク内の構成要素から送信され、最終的には推定高度を導くデータベースへの指標として使用される、セルベースの通信システムで使用され得る。
【００４０】
前述の説明は、移動ＳＰＳ受信機が擬似距離を決定し、これら擬似距離を遠隔配置されたＳＰＳサーバに送信するシステム構造を一般的に想定したが、本発明は他のシステム構造にも適用可能であると理解される。例えば、本発明は、移動ＳＰＳ受信機が（受信時間を示す時間スタンプとともに）デジタル化されたＳＰＳ信号を（ＳＰＳ衛星に対する擬似距離を計算することなく）遠隔配置されたＳＰＳサーバに送信し、遠隔配置されたＳＰＳサーバは推定高度を決定し、位置決め解法（これは、ここで説明されたＦＤＩ技術で検査することもできる）を決定するシステムに適用してもよい。他の例では、移動ＳＰＳ受信機がその位置を遠隔配置されたＳＰＳサーバからの援助により、あるいは援助なく決定するシステムに本発明を適用してもよい。このような援助が無い場合、移動ＳＰＳ受信機は、ユーザにより提供され、あるいは移動ＳＰＳ受信機にセルサイトから送信される高度推定の支援を伴う推定高度に基づいたＦＤＩ技術を実行してもよい（移動ＳＰＳ受信機は、セルサイトとのセルベースの通信からのセルサイトの識別情報を決定し、セルサイトに対応づけられた推定高度を自身のデータベース中で検索して検査してもよい）。このような援助がある場合、移動ＳＰＳ受信機は衛星暦データ及び／あるいはドップラー情報及び／又は移動ＳＰＳサーバからの衛星暦（例えばセルサイトから移動ＳＰＳ受信機へ送信される）を受信することによりそれ自身の位置を決定してもよく、またＳＰＳサーバからの推定高度を受信し利用してもよい。この場合、移動ＳＰＳ受信機は（衛星擬似距離を決定した後に）その位置を決定することができ、高度推定を用いた位置決め解法上でＦＤＩ技術を実行してもよい。
【００４１】
本発明の方法及び装置は、ＧＰＳ衛星との関連により説明したが、その教示は擬似ライト（pseudolites）あるいは衛星と擬似ライトの組み合わせを用いた位置決めシステムに等しく適用できると認められる。擬似ライトは、Ｌバンド搬送波信号上で変調され、通常ＧＰＳ時間に同期される、（ＧＰＳ信号と同様に）ＰＮコードを放送するグラウンドベースの送信機である。各送信機は遠隔受信機による識別を可能とするため、独自のＰＮコードが割り当てられる。擬似ライトは、軌道衛星からのＧＰＳ信号が利用可能でない、トンネル、鉱山、ビル、あるいは他の閉じられた領域のような状況で有用である。ここで使用される用語“衛星”は、擬似ライトあるいは擬似ライトの均等物を含むものと意図され、ここで使用されるＧＰＳ信号という用語は、擬似ライトあるいは擬似ライトの均等物からのＧＰＳのような信号を含むものと意図される。
【００４２】
前述の説明では、米国衛星位置決めシステム（ＧＰＳ）上での適用との関連で説明された。しかしながら、これら方法は類似の衛星位置決めシステムに等しく適用可能であり、特に、ロシアのグロナス(Glonass)位置決めシステムに適用可能であることは明らかである。グロナムシステムは、衛星からのエミッションが、基本的に異なる擬似ランダムコードを用いるよりもむしろわずかに異なる搬送波周波数を用いることにより互いに識別される。ここで用いられる用語“ＧＰＳ”は、ロシアのグロナス位置決めシステムを含むこのような代替的な衛星位置決めシステムを含む。
【００４３】
前述の明細書では、本発明は特定の代表的な実施例と関連して説明された。しかしながら、様々な改良及び変形が、より広い精神及び添付された特許請求の範囲の発明の範囲から離れることなくなされ得る。従って、この明細書及び図面は、限定的な意味よりも例示的なものとみなされる。
【図１】
2010145411.tif 000003
【図２】
2010145411.tif 000004
【図３Ａ】
2010145411.tif 000005
【図３Ｂ】
2010145411.tif 000006
【図４】
2010145411.tif 000007
【図５】
2010145411.tif 000008
【図５Ａ】
2010145411.tif 000009
【図５Ｂ】
2010145411.tif 000010
【図６】
2010145411.tif 000011
【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
セルベースの通信受信機を有する移動衛星位置決めシステム（ＳＰＳ）受信機の位置を決定する方法であって、
セルベースの通信受信機と無線通信中のセルサイト送信機に基づいてセルオブジェクト情報を選択する、前記セルオブジェクト情報は、セルオブジェクト位置あるいはセルオブジェクト識別の少なくとも一つを含む、
複数のセルサイト送信機のそれぞれと関連付けられる複数の高度を記憶するように構成されたデータベースから高度を、該選択されたセルオブジェクト情報に基づいて決定する、
前記高度を用いて前記移動ＳＰＳ受信機の位置を計算する
を有する前記方法。
【手続補正２】
【補正対象書類名】明細書
【補正対象項目名】００４３
【補正方法】変更
【補正の内容】
【００４３】
前述の明細書では、本発明は特定の代表的な実施例と関連して説明された。しかしながら、様々な改良及び変形が、より広い精神及び添付された特許請求の範囲の発明の範囲から離れることなくなされ得る。従って、この明細書及び図面は、限定的な意味よりも例示的なものとみなされる。  
以下に、本願出願の当初の特許請求の範囲に記載された発明を付記する。
［１］セルベースの通信受信機を有する移動衛星位置決めシステム（ＳＰＳ）受信機の位置を決定する方法であって、
セルオブジェクト情報を決定する、前記セルオブジェクト情報は、セルオブジェクト位置あるいはセルオブジェクト識別の少なくとも一つを含む、
前記セルオブジェクト情報から高度を決定する、ここにおいて、前記セルオブジェクト情報は前記セルベースの通信受信機との無線通信におけるセルサイト送信機に基づいて選択される、 
前記高度を用いて前記移動ＳＰＳ受信機の位置を計算する
を有する前記方法。
［２］前記セルオブジェクト情報は、前記セルサイト送信機の位置あるいは識別の少なくも一つを示す情報である、上記［１］の方法。
［３］前記高度は、実質的に前記セルサイト送信機の高度である、上記［２］の方法。
［４］前記高度は、前記セルサイト送信機の地理的近傍における高度の数学的な表示である、上記［２］の方法。
［５］前記セルオブジェクト情報及び前記高度はコンピュータ読み取り可能な記憶媒体に格納される、上記［２］の方法。
［６］さらに、前記移動ＳＰＳ受信機から遠隔処理局への少なくとも一つの擬似距離を送信することを有する、上記［５］の方法。
［７］前記送信することは、前記セルサイト送信機における受信機を介して行われ、前記遠隔処理局は、前記セルサイト送信機に連結されたセルラー交換センターに連結され、前記遠隔処理システムは前記高度を決定し、前記高度を用いて前記位置を計算する、上記［６］の方法。
［８］さらに、前記高度を前記移動ＳＰＳ受信機に送信することを有し、前記移動ＳＰＳ受信機は前記高度を用いて前記位置を計算する、上記［２］の方法。
［９］さらに、前記セルオブジェクト情報を前記移動ＳＰＳ受信機に送信することを有し、前記移動ＳＰＳ受信機は前記高度を決定する、上記［２］の方法。
［１０］さらに、前記遠隔処理局で、衛星暦データを受信することを備える、上記［７］の方法。
［１１］データ処理システムにより実行される場合に、前記データ処理システムに下記を備える方法を実行させる実行可能なコンピュータプログラム命令を有するコンピュータ読み取り可能な媒体： 
セルオブジェクト情報を決定する、前記セルオブジェクト情報は、セルオブジェクト位置あるいはセルオブジェクト識別の少なくとも一つを含む、
前記セルオブジェクト情報から高度を決定する、ここにおいて、前記セルオブジェクト情報は、移動衛星位置決めシステム（ＳＰＳ）受信機のセルベースの通信受信機と無線通信中のセルサイト送信機に基づいて選択される、
前記高度を用いて前記移動ＳＰＳ受信機の位置を計算する。
［１２］前記セルオブジェクト情報は、前記セルサイト送信機の位置あるいは識別の少なくとも一つを示す情報である、上記［１１］のコンピュータ読み取り可能な媒体。
［１３］前記高度は、実質的に前記セルサイト送信機の高度である、上記［１２］のコンピュータ読み取り可能な媒体。
［１４］前記高度は、前記セルサイト送信機の地理的近傍における高度の数学的な表示である、上記［１２］のコンピュータ読み取り可能な媒体。
［１５］前記セルオブジェクト情報及び前記高度はコンピュータ読み取り可能な記憶媒体に格納される、上記［１２］のコンピュータ読み取り可能な媒体。
［１６］前記方法はさらに、前記移動ＳＰＳ受信機から遠隔処理局に少なくとも一つの擬似距離を送信することを有する上記［１５］のコンピュータ読み取り可能な媒体。
［１７］前記送信することは、前記セルサイト送信機における受信機を介して行われ、前記遠隔処理局は、前記セルサイト送信機に連結された交換センターに連結され、前記遠隔処理システムは前記高度を決定し、前記高度を用いて前記位置を計算する、上記［１６］のコンピュータ読み取り可能な媒体。
［１８］前記方法はさらに、前記高度を前記移動ＳＰＳ受信機に送信することを有し、ここにおいて前記移動ＳＰＳ受信機は前記高度を使用して前記位置を計算する、上記［１２］のコンピュータ読み取り可能な媒体。
［１９］前記方法はさらに、前記セルオブジェクト情報を前記移動ＳＰＳ受信機に送信し、前記移動ＳＰＳ受信機は前記高度を決定することを備える、上記［１２］のコンピュータ読み取り可能な媒体。
［２０］前記方法はさらに、前記遠隔処理局で、衛星暦データを受信することを備える、上記［１７］のコンピュータ読み取り可能な媒体。
［２１］下記を具備するデータ処理局：
プロセッサ、 
前記プロセッサに連結された記憶装置、
前記プロセッサに連結されたトランシーバ、ここにおいて、
このトランシーバは、前記データ処理局を無線セルサイトに連結し、
前記記憶装置は前記無線セルサイトに関するセルオブジェクト位置あるいはセルオブジェクト識別の内の少なくとも一つを備えるセルオブジェクト情報を格納し、
前記プロセッサは、移動衛星位置決めシステム（ＳＰＳ）受信機のセルベースの通信受信機と無線通信中の前記無線セルサイトに基づいて選択される前記セルオブジェクト情報から高度を決定し、
前記プロセッサは、前記高度を用いて前記移動ＳＰＳ受信機の位置を計算する。
［２２］前記プロセッサはＳＰＳ信号の源を受信し、前記トランシーバは前記無線セルサイトから少なくとも一つの擬似距離を受信し、前記プロセッサは前記ＳＰＳ信号及び前記少なくとも一つの擬似距離を用いて前記高度を決定する、上記［２１］のデータ処理局。
［２３］前記記憶装置は、前記トランシーバに連結される複数の無線セルサイト毎に対応する高度とセルオブジェクト情報とを有するデータベースを内蔵する上記［２２］のデータ処理局。
［２４］移動衛星位置決めシステム（ＳＰＳ）受信機の位置を決定する方法、前記方法は下記を具備する、
複数のＳＰＳ衛星への複数の擬似距離から計算された高度を決定する、 
前記計算された高度を前記移動ＳＰＳ受信機の高度の推定と比較する、
前記擬似距離の少なくとも一つの状況を決定する、前記状況は前記計算された高度と前記推定との比較に基づく。
［２５］前記位置は、位置決め解法アルゴリズムから決定され、ここにおいて、前記状況が第１の状態の場合、前記擬似距離は前記位置決め解法アルゴリズム中で用いられる、上記［２４］の方法。
［２６］前記状況が第２の状態の場合、前記擬似距離は前記位置決め解法アルゴリズム中で用いられない、上記［２５］の方法。
［２７］さらに、
前記移動ＳＰＳ受信機で、前記複数の擬似距離を決定する、
セルオブジェクト情報を決定する、前記セルオブジェクト情報は、セルオブジェクト位置あるいはセルオブジェクト識別のうちの少なくとも一つを備える、
前記セルオブジェクト情報から前記高度の推定を決定する、ここにおいて、
前記セルオブジェクト情報は、前記移動ＳＰＳ受信機に連結されたセルベースの通信システムと無線通信中のセルサイト送信機に基づいて選択される、を有する上記［２６］の方法。
［２８］前記移動ＳＰＳ受信機は、前記状況及び前記位置を決定するデータ処理局に前記複数の擬似距離を送信する、上記［２７］の方法。
［２９］前記セルオブジェクト情報は、前記セルサイト送信機の位置あるいは識別の少なくとも一つを示す情報である、上記［２７］の方法。
［３０］前記高度は、前記セルサイト送信機の地理的近傍における少なくとも一つの高度の数学的な表示である、上記［２９］の方法。
［３１］前記セルオブジェクト情報及び前記高度は、コンピュータ読み取り可能な記憶媒体に格納される、上記［２７］の方法。
［３２］前記データ処理局は衛星暦データを受信する、上記［２８］の方法。
［３３］下記を具備するデータ処理局、
プロセッサ、 
前記プロセッサに連結された記憶装置、 
前記プロセッサに連結されたトランシーバ、ここにおいて、
このトランシーバは、前記データ処理局を無線通信システムに連結し、
前記記憶装置は前記無線通信システムの無線レディオカバレッジ内の少なくとも一つの領域に関する高度の推定を格納し、
前記トランシーバは、移動衛星位置決めシステム（ＳＰＳ）受信機に連結された移動無線通信システムからの、第１の擬似距離を含む複数の擬似距離を受信し、
前記プロセッサは高度を決定し、前記推定と前記高度を比較し、及び
前記第1の擬似距離の状況を決定する、前記状況は、前記推定と前記高度擬似測定値との比較に基づいている、
データ処理局。
［３４］前記プロセッサはＳＰＳ信号の源を受信し、
前記プロセッサは位置決め解法アルゴリズムから前記移動ＳＰＳ受信機の位置を決定し、
前記状況が第１の状態の場合、前記第１の擬似距離は前記位置決め解法アルゴリズムで用いられる、
上記［３３］のデータ処理システム。
［３５］前記状況が第２の状態の場合、前記第１の擬似距離は前記位置決め解法アルゴリズムで用いられない、上記［３４］のデータシステム。
［３６］移動衛星位置決めシステム（ＳＰＳ）受信機の位置を決定する方法、この方法は下記を具備する、 
前記移動ＳＰＳ受信機と、対応する複数の衛星との間の複数の衛星擬似距離を決定するステップ、 
少なくとも一つの非衛星擬似測定値を決定する、 
前記複数の衛星擬似距離の少なくとも一つの状況を決定する。
［３７］前記非衛星擬似測定値は高度擬似測定値あるいはセルラ擬似距離の一つである、上記［３６］の方法。
［３８］前記状況は冗長測定値である非衛星擬似測定値から決定される上記［３７］の方法。
［３９］前記状況は、ＳＰＳ誤り検出及び分離技術を用いて決定される、上記［３８］の方法。
［４０］前記対応する複数の衛星は、地球の周りの空間を軌道とする複数の衛星である、上記［３９］の方法。
［４１］前記位置は位置決め解法アルゴリズムから決定され、
前記状況が第１の状態の場合、前記複数の衛星擬似距離の少なくとも一つは前記位置決め解法アルゴリズムで用いられる、上記［３９］の方法。
［４２］前記状況が第２の状態の場合、前記複数の衛星擬似距離の少なくとも一つは、前記位置決め解法アルゴリズムで用いられない、上記［４１］の方法。
【外国語明細書】
2010145411000001.pdf